(57)【特許請求の範囲】
【請求項１】
平面形状が方形状の底部と、該底部の各四辺から略垂直状に立設された４枚の側壁とを有する古新聞等の整理箱において、前記側壁の上端には、略水平方向に外側に延在するフランジが形成されているとともに、前記側壁には、前記底部の辺の中央領域から上方に、所定高さ延在する窓部が形成されており、また、前記窓部内に位置する前記底部には、一対の凹部が形成されており、該一対の凹部を形成することにより、該一対の凹部間には、下部引っ掛け部として機能する凸部が形成されており、更に、前記下部引っ掛け部の上方に位置する前記フランジには、一対の凹部が形成されており、該一対の凹部を形成することにより、該一対の凹部間には、上部引っ掛け部として機能する凸部が形成されていることを特徴とする古新聞等の整理箱。
【発明の詳細な説明】
【０００１】
【発明の属する技術分野】
本発明は、古新聞や古雑誌や不用となった紙袋等（以下、単に、古新聞等という。）を、紐等で縛る際に使用する古新聞等を整理整頓しておくための古新聞等の整理箱に関するものである。
【０００２】
【従来の技術】
従来、整理箱に収容された古新聞等を緊諦する際には、整理箱の底に十字状に形成された溝に、適当な器具を用いて、２本の紐を通した後、十字縛りに緊諦したり、整理箱を持ち上げて、整理箱の底に形成された十字状のスリットに、それぞれ１本ずつ紐をセットし、その後、十字縛りに緊諦したりしていた（例えば、実公昭５７−２３１７９号公報、実公昭５７−３０２４７号公報等）。
【０００３】
【発明が解決しようとする課題】
上述した従来の古新聞等の緊諦方法においては、積み上げられた古新聞等の下に紐を通すために、特殊な器具を使用しなければならなかったり、重い古新聞等を持ち上げなければならず、古新聞等の緊諦作業の作業性が悪いという問題があった。また、２本の紐を使用して十字縛りを行うために、２回、紐を結ばなければならず、時間がかかるとともに、しっかりときつく縛るために、熟練やこつを必要としていた。
【０００４】
また、従来の整理箱は、積み上げられた古新聞等の下に紐を通すために、その構造が複雑であり、従って、高価なものになるという問題があった。
【０００５】
本発明の目的は、上述した従来の古新聞等の整理箱が有する課題を解決することにある。
【０００６】
【課題を解決するための手段】
本発明は、上述した目的を達成するために、平面形状が方形状の底部と、該底部の各四辺から略垂直状に立設された４枚の側壁とを有する古新聞等の整理箱において、前記側壁の上端には、略水平方向に外側に延在するフランジが形成されているとともに、前記側壁には、前記底部の辺の中央領域から上方に、所定高さ延在する窓部が形成されており、また、前記窓部内に位置する前記底部には、一対の凹部が形成されており、該一対の凹部を形成することにより、該一対の凹部間には、下部引っ掛け部として機能する凸部が形成されており、更に、前記下部引っ掛け部の上方に位置する前記フランジには、一対の凹部が形成されており、該一対の凹部を形成することにより、該一対の凹部間に、上部引っ掛け部として機能する凸部を形成したものである。
【０００７】
【実施例】
以下に、本発明の実施例について説明するが、本発明の趣旨を越えない限り何ら、本実施例に限定されるものではない。
【０００８】
先ず最初に、図１を用いて、本発明の古新聞等の緊諦方法において使用される整理箱の一例について説明する。
【０００９】
Ｃは、古新聞等の整理箱であり、整理箱Ｃは、三つ折りにした古新聞や古雑誌等が、若干の余裕を持って収容できるような大きさに形成された、平面形状が方形状の底部１と、底部１の各四辺１ａから、略垂直状に立設された４枚の側壁２ａ、２ｂ、２ｃ、２ｄとを有している。また、整理箱Ｃには、側壁２ａ、２ｂ、２ｃ、２ｄの上端から、略水平方向に外側に延在するフランジ３が形成されている。
【００１０】
各側壁２ａ、２ｂ、２ｃ、２ｄには、それぞれの底部１の辺１ａの中央領域から上方に、所定高さ延在する窓部４ａ、４ｂ、４ｃ、４ｄが形成されている。また、窓部４ａ、４ｂ、４ｃ、４ｄ内に位置する底部１には、辺１ａの中心点を挟んで対称に、一対の凹部５、５が形成されており、凹部５、５を形成することにより、凹部５、５間には、それぞれ、下部引っ掛け部６ａ、６ｂ、６ｃ、６ｄとして機能する凸部が形成されている。同様に、下部引っ掛け部６の上方に位置するフランジ３には、フランジ３の各辺の中心点を挟んで対称に、一対の凹部７、７が形成されており、凹部７、７を形成することにより、凹部７、７間には、それぞれ、上部引っ掛け部８ａ、８ｂ、８ｃ、８ｄとして機能する凸部が形成されている。なお、説明の都合上、各側壁２ａ、２ｂ、２ｃ、２ｄに対応して、下部引っ掛け部６及び上部引っ掛け部８にも、算用数字に小文字のアルファベットａ〜ｄが付されている。
【００１１】
次に、図２〜図４を用いて、上述した構成を有する整理箱Ｃを使用して、古新聞等を緊諦する方法について説明する。
【００１２】
先ず最初に、所定の側壁２ａに、紐Ｓの一端（以下、始端ともいう。）ｓ１を固定する。側壁２ａの外面に、接着テープ等（図２には、一例として、接着テープＡが示されている。）を用いて、紐Ｓの始端ｓ１を固定したり、或いは、クリップ等の適当な挟持具を側壁２ａの外面に取着し、挟持具により、紐Ｓの始端ｓ１を挟んで固定することもできる。更には、フランジ３に切り込みを形成し、切り込みに、紐Ｓの始端ｓ１を挟み込んで固定することもできる。
【００１３】
次いで、始端ｓ１が、所定の側壁２ａ或いは側壁２ａの上方に位置するフランジ３に固定された紐Ｓを、側壁２ａの上方に位置するフランジ３に形成された一対の凹部７、７のうち、一方の凹部７に下方から挿入し、上部引っ掛け部８ａの上面に沿わせるとともに、もう一方の凹部７に上方から挿入することにより、上部引っ掛け部８ａに紐を引っ掛ける。
【００１４】
次いで、紐Ｓを、フランジ３の下方に沿って、隣の側壁２ｂの上方に位置するフランジ３に形成された上部引っ掛け部８ｂの下方まで、側壁２ａ、２ｂの外面に接触するように持っていく。次いで、上部引っ掛け部８ｂの一対の凹部７、７の何方かの凹部７に、下方から紐Ｓを挿入するとともに、側壁２ｂの内面に沿って下方に持って行き、側壁２ｂが位置する底部１に形成された一対の凹部５、５の一方の凹部５に上方から挿入し、その後、下部引っ掛け部６ｂの下面に沿わせ、もう一方の凹部５に下方から挿入することにより、下部引っ掛け部６ｂに引っ掛ける。
【００１５】
次いで、側壁２ｂが位置する底部１に形成された下部引っ掛け部６ｂに引っ掛けられた紐Ｓを、側壁２ｂと相対する側壁２ｄが位置する底部１に形成された一対の凹部５、５のいずれか一方の凹部５に、上方から挿入することにより、紐Ｓを底部１の上面に接触させる。その後、紐Ｓを、側壁２ｄが位置する底部１に形成された下部引っ掛け部６ｄの下面に沿わせ、もう一方の凹部５に下方から挿入することにより、下部引っ掛け部６ｄに引っ掛ける。
【００１６】
次いで、側壁２ｄの内面に沿って上方に持って行き、側壁２ｄの上方に位置するフランジ３の上面に載せるようにして、該フランジ３に形成された一対の凹部７、７の一方の凹部７に、上方から挿入し、その後、紐Ｓを、フランジ３の下方に沿って、始めに紐Ｓの始端ｓ１を固定した側壁２ａと相対するとともに側壁２ｄの隣の側壁２ｃの上方に位置するフランジ３に形成された上部引っ掛け部８ｃの下方まで、側壁２ｄ、２ｃの外面に接触するように持っていく。次いで、側壁２ｃの上方に位置するフランジ３に形成された一対の凹部７、７の何方かの凹部７に、下方から紐Ｓを挿入するとともに、紐Ｓを、側壁２ｃの内面側に持って行き、その後、側壁２ｃの内面に沿って下方に持って行き、側壁２ｃが位置する底部１に形成された一対の凹部５、５の一方の凹部５に上方から挿入し、その後、下部引っ掛け部６ｃの下面に沿わせ、もう一方の凹部５に下方から挿入することにより、下部引っ掛け部６ｃに引っ掛ける。
【００１７】
次いで、側壁２ｃが位置する底部１に形成された下部引っ掛け部６ｃに引っ掛けられた紐Ｓを、側壁２ｃと相対する側壁２ａ、即ち、始めに紐Ｓの始端ｓ１を固定した側壁２ａが位置する底部１に形成された一対の凹部５、５のいずれか一方の凹部５に、上方から挿入することにより、紐Ｓを底部１の上面に接触させる。その後、紐Ｓを、側壁２ａが位置する底部１に形成された下部引っ掛け部６ａの下面に沿わせ、もう一方の凹部５に下方から挿入することにより、下部引っ掛け部６ａに引っ掛ける。
【００１８】
次いで、側壁２ａが位置する底部１に形成された下部引っ掛け部６ａに引っ掛けられた紐Ｓを、側壁２ａの内面に沿って上方に持ち上げるとともに、側壁２ａの上方に位置するフランジ３の上面に載せるようにして、該フランジ３に形成された一対の凹部７、７の一方の凹部７に、上方から挿入する。その後、側壁２ａの外面に、接着テープＡ等を用いて、紐Ｓの他端（以下、終端ともいう。）ｓ２を固定するとともに、紐Ｓを鋏やカッター等により切断する。なお、最初に、側壁２ａに、紐Ｓの始端ｓ１を固定する手段と同様の手段、即ち、側壁２ａの外面に取着された挟持具やフランジ３に形成された切り込み等を用いて、紐Ｓの終端ｓ２を、側壁２ａの外面に固定する。また、最初に、側壁２ａに、紐Ｓの一端を固定した手段に、紐Ｓの終端ｓ２を固定することもできる。
【００１９】
上述したようにして、紐Ｓを、整理箱Ｃに配置し、その後、適宜、整理箱Ｃに古新聞等を収容する。
【００２０】
整理箱Ｃに収容された古新聞等Ｎを十字縛りする場合には、先ず最初に、図３に示されているように、各側壁２ａ、２ｂ、２ｃ、２ｄが位置する底部１に形成された４つの下部引っ掛け部６ａ、６ｂ、６ｃ、６ｄに引っ掛けられている紐Ｓを、下部引っ掛け部６ａ、６ｂ、６ｃ、６ｄから外す。
【００２１】
次いで、整理箱Ｃの外側に位置する紐Ｓ’、即ち、側壁２ａ、２ｂの上方に位置するフランジ３の下方に沿って、側壁２ａ、２ｂの外面に配置されていた紐Ｓ及び側壁２ｃ、２ｄの上方に位置するフランジ３の下方に沿って、側壁２ｃ、２ｄの外面に配置されていた紐Ｓを、フランジ３の下方から外して、整理箱Ｃに収容された古新聞等の上に置く。整理箱Ｃの外側に位置する紐Ｓ’は、整理箱Ｃの一方の相対する角部ｃ１、ｃ２の外面上部に、角部ｃ１、ｃ２を挟んで略水平状態に位置している。次いで、側壁２ａに固定されていた紐Ｓの始端ｓ１及び終端ｓ２を外し、紐Ｓの始端ｓ１を、側壁２ｃ、２ｄの上方に位置するフランジ３の下方に沿って、側壁２ｃ、２ｄの外面に配置されていて、上記のようにしてフランジ３の下方から外され、古新聞等Ｎの上に置かれている紐Ｓのループｓ３内にクロスするように挿通する。その後、図４に示されているように、紐Ｓの始端ｓ１と終端ｓ２を結ぶことにより、整理箱Ｃに収容された古新聞等Ｎを十字縛りにすることができる。
【００２２】
整理箱Ｄへの始端ｓ１から終端ｓ２までの紐Ｓの配置順序について説明したが、当然のことながら、上述した順序とは逆に、即ち、上述した終端ｓ２を始端として紐Ｓの配置を開始し、上述した始端ｓ１を終端として、整理箱Ｄへの紐Ｓの配置を終了することもできる。
【００２３】
上述した実施例には、窓部４ａ、４ｂ、４ｃ、４ｄ内に位置する底部１に、一対の凹部５、５を形成し、該凹部５、５を形成することにより、凹部５、５間に、下部引っ掛け部６ａ、６ｂ、６ｃ、６ｄとして機能する凸部を形成した例が示されているが、凹部５、５を形成する代わりに、窓部４ａ、４ｂ、４ｃ、４ｄ内に位置する底部１の一部を外側に延在させて、外側に突出した引っ掛け片を形成することにより、紐Ｓを引っ掛けるように構成することもでき、窓部４ａ、４ｂ、４ｃ、４ｄ内に位置する底部１の各辺１ａに、紐Ｓを引っ掛けることができる適当なフックを取着するように構成することもできる。
【００２４】
また、上述した実施例には、フランジ３に、一対の凹部７、７を形成し、該凹部７、７を形成することにより、凹部７、７間に、上部引っ掛け部８ａ、８ｂ、８ｃ、８ｄとして機能する凸部が形成した例が示されているが、上部引っ掛け部８ａ、８ｂ、８ｃ、８ｄも、上述した下部引っ掛け部６ａ、６ｂ、６ｃ、６ｄと同様に、凹部７、７を形成する代わりに、フランジ３の一部を外側に延在させて、外側に突出した引っ掛け片を形成することにより、紐Ｓを引っ掛けるように構成することもでき、フランジ３に、紐Ｓを引っ掛けることができる適当なフックを取着するように構成することもできる。
【００２５】
更に、上述した実施例には、始端ｓ１が最初に固定される側壁２ａの上方に位置するフランジ３にも、他の側壁２ｂ、２ｃ、２ｄと同様に、一対の凹部７、７を形成し、該凹部７、７を形成することにより、凹部７、７間に、上部引っ掛け部８ａを形成するようにした例が示されているが、始端ｓ１が最初に固定される側壁２ａは、単に、紐Ｓの始端ｓ１及び終端ｓ２を固定する機能を有していればよいので、必ずしも、凹部７、７や上部引っ掛け部８ａを形成する必要はない。紐Ｓの始端ｓ１及び終端ｓ２を固定する手段としては、上述したように、例えば、側壁２ａの上方に位置するフランジの中央部に、１個或いは２個の楔状の切り込みを形成し、該切り込みに、紐Ｓの始端ｓ１或いは終端ｓ２を挟み込んで固定するように構成することができる。
【００２６】
図５及び図６に示されている実施例は、各側壁２ａ、２ｂ、２ｃ、２ｄに形成された凹部７、７を省略するとともに、フランジ３を省略したものであり、従って、整理箱Ｃは、上述した底部１と側壁２ａ、２ｂ、２ｃ、２ｄにより形成されている。上部引っ掛け部８ａ、８ｂ、８ｃ、８ｄとしては、各側壁２ａ、２ｂ、２ｃ、２ｄの外面上部の中央部に、側壁２ａ、２ｂ、２ｃ、２ｄに対して略垂直方向に延在する水平ピン８’を突設したものである。なお、紐Ｓの配置方法は、上述した実施例と同じであるので、その説明は省略する。
【００２７】
また、図７及び図８に示されている実施例は、各側壁２ａ、２ｂ、２ｃ、２ｄに形成された凹部７、７を省略するとともに、フランジ３を省略したものであり、従って、整理箱Ｃは、底部１と側壁２ａ、２ｂ、２ｃ、２ｄにより形成されている。上部引っ掛け部８ａ、８ｂ、８ｃ、８ｄとしては、各側壁２ａ、２ｂ、２ｃ、２ｄの中央部に、側壁２ａ、２ｂ、２ｃ、２ｄの上端から、所定の深さ下方に延びる、紐Ｓが挿入可能なスリット８”を形成したものである。なお、紐Ｓの配置方法は、上述した実施例と同じであるので、その説明は省略する。
【００２８】
上述したような構成を有する整理箱Ｃは、射出成形やブロー成形等の適当な成形手段により、合成樹脂で一体に成形されることが好ましい。
【００２９】
本発明は、上述したように構成されているので、紐Ｓを２本用意することなく、一本の紐Ｓを用いて、簡単に、しかも、迅速に、古新聞等を十字縛りすることができる。
【００３０】
また、事前に、整理箱Ｃに１本の紐Ｓを配置することにより、新聞等を十字縛りすることができるとともに、整理箱Ｃに事前に配置された１本の紐Ｓの長さは、新聞等の十字縛りに丁度よい長さであるので、紐Ｓの無駄使いを防止することができる。
【００３１】
更に、整理箱Ｃには、側壁２ａ、２ｂ、２ｃ、２ｄの下部に窓部４ａ、４ｂ、４ｃ、４ｄが形成されているだけで、従来の整理箱のように、側壁に、下部から上端に達するまでの大きな間隙等が形成されていないので、整理箱の強度や剛性が向上する。
【００３２】
【発明の効果】
本発明は、以上説明した構成を有しているので、以下に記載する効果を奏するものである。
【００３３】
紐を２本用意することなく、一本の紐を用いて、簡単に、しかも、迅速に、古新聞等を十字縛りすることができる。
【００３４】
事前に、整理箱に１本の紐を配置することにより、新聞等を十字縛りすることができるとともに、整理箱に事前に配置された１本の紐の長さは、新聞等の十字縛りに丁度よい長さであるので、紐の無駄使いを防止することができる。
【００３５】
整理箱には、側壁の下部に窓部が形成されているだけで、従来の整理箱のように、側壁に、下部から上端に達するまでの大きな間隙等が形成されていないので、整理箱の強度や剛性が向上する。
【図面の簡単な説明】
【図１】図１は本発明の整理箱の斜視図である。
【図２】図２は１本の紐が配置された状態の本発明の整理箱の斜視図である。
【図３】図３は本発明の古新聞等の緊諦方法により古新聞等を十字縛りをする過程を示す整理箱の斜視図である。
【図４】図４は本発明の古新聞等の緊諦方法により古新聞等を十字縛りした状態を示す整理箱の斜視図である。
【図５】図５は本発明の別の実施例の整理箱の斜視図である。
【図６】図６は図５に示されている整理箱に１本の紐が配置された状態の整理箱の斜視図である。
【図７】図７は本発明の更に別の実施例の整理箱の斜視図である。
【図８】図８は図７に示されている整理箱に１本の紐が配置された状態の整理箱の斜視図である。
【符号の説明】
Ｃ・・・・・・・・・・・・・整理箱
Ｓ・・・・・・・・・・・・・紐
１・・・・・・・・・・・・・底部
２・・・・・・・・・・・・・側壁
３・・・・・・・・・・・・・フランジ
４・・・・・・・・・・・・・窓部
６・・・・・・・・・・・・・下部引っ掛け部
８・・・・・・・・・・・・・上部引っ掛け部
【図１】
0004326137.tif 000002
【図２】
0004326137.tif 000003
【図３】
0004326137.tif 000004
【図４】
0004326137.tif 000005
【図５】
0004326137.tif 000006
【図６】
0004326137.tif 000007
【図７】
0004326137.tif 000008
【図８】
0004326137.tif 000009